(57)【要約】【課題】視野角を制御するフィルタを用いて表示パネルに表示される情報の秘匿性を高めることが可能な情報処理装置を提供すること。【解決手段】モバイルモードを有する情報処理装置であって、本体と、前記本体に支持される表示部と、前記表示部に設けられる表示パネルと、前記表示部に設けられ、前記表示パネルの一方の面に対向して配置される視野角制御フィルタと、本情報処理装置の状態が前記モバイルモードである場合に、前記視野角制御フィルタを駆動する駆動手段と、を具備する。【選択図】      図６
2007121969.tif 000002
【特許請求の範囲】
【請求項１】
モバイルモードを有する情報処理装置であって、
本体と、
前記本体に支持される表示部と、
前記表示部に設けられる表示パネルと、
前記表示部に設けられ、前記表示パネルの一方の面に対向して配置される視野角制御フィルタと、 
本情報処理装置の状態が前記モバイルモードである場合に、前記視野角制御フィルタを駆動する駆動手段と、を具備することを特徴とする情報処理装置。
【請求項２】
前記視野角制御フィルタを駆動するか否かを設定する手段を更に具備し、
前記設定手段によって視野角制御フィルタを駆動する設定になっている場合に、前記駆動手段は前記視野角制御フィルタを駆動することを特徴とする請求項１記載の情報処理装置。
【請求項３】
前記モバイルモードは、前記本体にＡＣアダプタが接続されていない状態であることを特徴とする請求項１記載の情報処理装置。
【請求項４】
前記モバイルモードは、前記本体が拡張ユニットに接続されていない状態であることを特徴とする請求項１記載の情報処理装置。
【請求項５】
本体と、
前記本体に支持される表示部と、
前記表示部に設けられる表示パネルと、
前記表示部に設けられ、前記表示パネルの一方の面に対向して配置される視野角制御フィルタと、
前記本体に設けられるバッテリと、
前記本体および表示部の駆動電源が前記バッテリである場合、前記視野角制御フィルタを駆動する駆動手段とを具備することを特徴とする情報処理装置。
【請求項６】
前記視野角制御フィルタを駆動するか否かを設定する設定手段を更に具備し、
前記設定手段によって前記視野角制御フィルタを駆動する設定になっている場合に、前記駆動手段は前記視野角制御フィルタを駆動することを特徴とする請求項５記載の情報処理装置。
【請求項７】
前記本体は拡張ユニットに接続可能な本体であり、
前記駆動手段は、前記本体が前記拡張ユニットに接続されている場合に、前記視野角制御フィルタを駆動する駆動手段を含むことを特徴とする請求項５記載の情報処理装置。
【請求項８】
前記本体が前記拡張ユニットに接続されている場合に、前記視野角制御フィルタを駆動するか否かを設定する第２の設定手段を更に具備し、
前記第２の設定手段によって前記視野角制御フィルタを駆動する設定になっている場合に、前記駆動手段は前記視野角制御フィルタを駆動することを特徴とする請求項５記載の情報処理装置。
【請求項９】
モバイルモードを有し、表示パネルと、前記表示パネルの一方の面に対向して配置される視野角制御フィルタとを具備する情報処理装置の制御方法であって、
前記情報処理装置の状態が前記モバイルモードであるか否かを判定し、
前記モバイルモードである場合に、前記視野角制御フィルタを駆動することを特徴とする情報処理装置の制御方法。
【請求項１０】
前記視野角制御フィルタを駆動するように設定し、
前記視野角制御フィルタの駆動は、前記視野角制御フィルタを駆動する設定になっている場合に実行されることを特徴とする請求項９記載の情報処理装置の制御方法。
【請求項１１】
前記モバイルモードは、前記情報処理装置にＡＣアダプタが接続されていない状態であることを特徴とする請求項９記載の情報処理装置の制御方法。
【請求項１２】
前記モバイルモードは、前記情報処理装置が拡張ユニットに接続されていない状態であることを特徴とする請求項９記載の情報処理装置の制御方法。
【発明の詳細な説明】
【技術分野】
【０００１】
本発明は、視野角を制御するフィルタを具備する情報処理装置、およびその制御方法に関する。
【背景技術】
【０００２】
近年、液晶表示装置は、ノートブック型コンピュータ用、モニタ用等の表示装置として広く用いられている。液晶表示装置の視野角依存性の改良が進み、ＣＲＴと同レベルの視野角を有するようになってきた。
【０００３】
ところが、例えば携帯端末等の用途を中心に、正面から見ることが可能であり、斜め方向から見ることを困難にするディスプレイの要求がある。これは、機密性のある文書等を公共の場等で作成する、あるいは読む場合に、ディスプレイの略正面に位置する使用者以外にこの情報が見えることを防ぐ為である。また、周りを気にすることなく、個人的なメール等を読み、また書くようにするためである。
【０００４】
視野角を制御する技術として、液晶パネル（以下では視野角制御フィルタ）を用いる技術が開示されている（特許文献１）。この文献に記載されている技術では、視野角制御フィルタをＯＮにすると、斜めからは妨害パターンが見え、文章などの画面の情報を保護する。なお、視野角制御フィルタが動作していても、正面からの見え方は変わらない。また、視野角制御フィルタをオフにすると、画像を表示するための画像表示パネルの本来の視野角で見ることができる。
【特許文献１】特開２００４−１３３３３４号公報
【発明の開示】
【発明が解決しようとする課題】
【０００５】
現在、上述したプライバシーフィルタを用いて、いかにしてディスプレイに表示された内容の秘匿性を高めるか模索している状況である。
【０００６】
本発明の目的は、視野角を制御するプライバシーフィルタを用いて表示パネルに表示される情報の秘匿性を高めることが可能な情報処理装置、およびその制御方法を提供することにある。
【課題を解決するための手段】
【０００７】
本発明の一例に係わる、モバイルモードを有する情報処理装置は、本体と、前記本体に支持される表示部と、前記表示部に設けられる表示パネルと、前記表示部に設けられ、前記表示パネルの一方の面に対向して配置される視野角制御フィルタと、本情報処理装置の状態が前記モバイルモードである場合に、前記視野角制御フィルタを駆動する駆動手段と、を具備することを特徴とする。
【発明の効果】
【０００８】
視野角を制御するプライバシーフィルタを用いて表示パネルに表示される情報の秘匿性を高めることが可能になる。
【発明を実施するための最良の形態】
【０００９】
本発明の実施の形態を以下に図面を参照して説明する。
【００１０】
図１は本発明の第１の実施の形態に係る情報処理装置としてのノートブック型のパーソナルコンピュータの構成の一例を示す図である。
【００１１】
パーソナルコンピュータ１０は、コンピュータ本体１２と、ディスプレイユニット１４とから構成されている。ディスプレイユニット１４には、表示パネルであるＬＣＤ（Liquid Crystal Display）１６、及びプライバシーフィルタ（視野角制御フィルタ）１７が組み込まれている。
【００１２】
図２に示すように、プライバシーフィルタ１７は、ＬＣＤ１６の画像表示面上に装着されている。なお、プライバシーフィルタ１７が、ＬＣＤ１６の画像表示面と反対側の面上に装着されていても良い。また、液晶パネルの他、有機ＥＬパネルなど、パネル表面に偏光板を有するディスプレイに装着して使用することも可能である。
【００１３】
表示部としてのディスプレイユニット１４は、コンピュータ本体１２の上面を覆う開放位置とコンピュータ本体１２の上面が露出する閉塞位置との間を回動自在に変化するように、コンピュータ本体１２の奥手側の端部に設けられたヒンジ（支持部）１８に取り付けられている。
【００１４】
コンピュータ本体１２は薄い箱形の筐体を有しており、その筐体上面中央部には、キーボード２０が設けられる。コンピュータ本体１２の手前側の筐体部分上面にはパームレストが形成されている。パームレストのほぼ中央部には、タッチパッド２２、タッチパッドコントロールボタン２６が設けられる。コンピュータ本体１２の奥側の筐体部分上面には、コンピュータ本体１２の電源をオン／オフするためのパワーボタン２８、プライバシーフィルタボタン３０が配置されている。
【００１５】
本コンピュータ１０は、ＡＣアダプタ１２５Ｂから供給される電源、またはコンピュータ本体１２内に設けられたバッテリによって駆動される。
【００１６】
図３に、プライバシーフィルタ１７をＬＣＤ１６上に装着したときの画面の見え方の一例を示す。図中上段の３面は、プライバシーフィルタ１７に電圧を印加しないときの状態を示し，下段の３面は、プライバシーフィルタ１７に電圧を印加したときの状態を示す。また、左は左斜め前から画面を見たとき、中央は正面から画面を見たとき、右は右斜め前から画面を見たときを示している。
【００１７】
上述のように、電圧無印加状態においては、画面を正面、左右斜め方向から見ても、通常の表示と何ら変わるところがない。
【００１８】
一方、電圧印加状態においては、画面を正面から見たときには通常の表示と何ら変わるところがない。しかし、左右斜め方向から見た場合には、配向膜上に設けられている領域に応じて、黒い部分が生じ、液晶表示装置上の表示を妨害するようになる。このような妨害図形を表示することにより、斜め横方向から画面の認識を困難にして、覗き込みを防止することができる。
【００１９】
また、本装置は、図４に示すように、コンピュータ本体１２の底面に拡張ユニットとしてのドッキングステーション２００を接続することが可能である。ドッキングステーション２００は、ＰＳ／２コネクタ，ＵＳＢ（Universal Serial Bus）コネクタ、ＤＶＩ（Digital Visual Interface）コネクタ、パラレルコネクタ、ＬＡＮコネクタを有する。
【００２０】
次に、図５を参照して、本コンピュータのシステム構成の一例について説明する。
【００２１】
本コンピュータは、図５に示されているように、ＣＰＵ１０２、ノースブリッジ１０４、メインメモリ１１４、グラフィクスコントローラ１０８、サウスブリッジ１０６、ＢＩＯＳ−ＲＯＭ１２０、ハードディスクドライブ（ＨＤＤ）１２６、エンベデッドコントローラ／キーボードコントローラＩＣ（ＥＣ／ＫＢＣ１２４）１２４、および電源コントローラ１２５等を備えている。
【００２２】
ＣＰＵ１０２は本コンピュータの動作を制御するために設けられたプロセッサであり、ハードディスクドライブ（ＨＤＤ）１２６からメインメモリ１１４にロードされる、オペレーティングシステム（ＯＳ）および各種アプリケーションプログラムを実行する。
【００２３】
また、ＣＰＵ１０２は、ＢＩＯＳ−ＲＯＭ１２０に格納されたシステムＢＩＯＳ（Basic Input Output System）をメインメモリ１１４にロードした後、実行する。システムＢＩＯＳはハードウェア制御のためのプログラムである。
【００２４】
ノースブリッジ１０４はＣＰＵ１０２のローカルバスとサウスブリッジ１０６との間を接続するブリッジデバイスである。ノースブリッジ１０４には、メインメモリ１１４をアクセス制御するメモリコントローラも内蔵されている。また、ノースブリッジ１０４は、ＡＧＰ（Accelerated Graphics Port）バスなどを介してグラフィクスコントローラ１０８との通信を実行する機能も有している。
【００２５】
グラフィクスコントローラ１０８は本コンピュータのディスプレイモニタとして使用されるＬＣＤ１６を制御する表示コントローラである。このグラフィクスコントローラ１０８はビデオメモリ（ＶＲＡＭ）を有しており、ＯＳ／アプリケーションプログラムによってビデオメモリに描画された表示データから、ＬＣＤ１６に表示すべき表示イメージを形成する映像信号を生成する。グラフィクスコントローラ１０８によって生成された映像信号はラインに出力される。
【００２６】
エンベデッドコントローラ／キーボードコントローラＩＣ（フィルタ制御部）１２４は、入力手段としてのタッチパッド２２、スクロールボタン２４、およびタッチパッドコントロールボタン２６のコントロールを行うと共に、プライバシーフィルタ１７の駆動を制御するコントローラとして機能する。エンベデッドコントローラ／キーボードコントローラＩＣ１２４は、コンピュータシステム１０のシステム状態に関わらず、各種のデバイス（周辺装置やセンサ、電源回路等）を監視し制御するワンチップ・マイコンである。
【００２７】
電源コントローラ１２５は、ＡＣアダプタ１２５Ｂを介して外部電源が供給されている場合、ＡＣアダプタ１２５Ｂから供給される外部電源を用いて本コンピュータ１０の各コンポーネントに供給すべきシステム電源を生成する。また、ＡＣアダプタ１２５Ｂを介して外部電源が供給されていない場合、バッテリ１２５Ａを用いて本コンピュータ１０の各コンポーネント（コンピュータ本体１２，およびディスプレイユニット（表示部）１４）に供給すべきシステム電源を生成する。以下では、コンピュータ本体１２，およびディスプレイユニット（表示部）１４の駆動電源がバッテリ１２５Ａである場合をバッテリ駆動（モバイルモード）と称する。
【００２８】
プライバシーフィルタ１７の駆動を制御するための構成について、図６を参照して説明する。
【００２９】
ユーザがプライバシーフィルタボタン３０を操作することによって、ＥＣ／ＫＢＣ１２４がプライバシーフィルタ１７への駆動信号のオン／オフを切り替える。ＥＣ／ＫＢＣ１２４は、プライバシーフィルタ１７の駆動状態をシステムＢＩＯＳ１４０に通知する。システムＢＩＯＳは、通知されたプライバシーフィルタ１７の駆動状態に応じてメインメモリ１１４上のプライバシーフィルタ駆動フラグ（ＰＦ駆動フラグ）１６１をイネーブル（駆動）またはディスイネーブル（非駆動）にする。
【００３０】
電源コントローラ１２５は、システム電源の生成元が変わったときに、システム電源の生成元をＥＣ／ＫＢＣ１２４に対して割込通知する機能を有する。ＥＣ／ＫＢＣ１２４は、システム電源の生成元をシステムＢＩＯＳに通知する。システムＢＩＯＳは、通知されたシステム電源の生成元に応じてメインメモリ１１４上のＢＡＴＴ駆動フラグ１６２をイネーブル（バッテリ駆動）またはディスイネーブル（外部電源駆動）にする。
【００３１】
また、ＩＯコントローラ１２７は、ドッキングステーション２００からアンドックした時、またはドッキングステーション２００にドッキングした時に割込通知する機能を有する。ＥＣ／ＫＢＣ１２４は、ドッキングステーション２００のドッキング状態をシステムＢＩＯＳ１４０に通知する。システムＢＩＯＳ１４０は、通知されたドッキング状態に応じてメインメモリ１１４上のＵＮＤＯＣＫフラグ１６３をイネーブル（アンドック状態〈モバイルモード〉）またはディスイネーブル（ドッキング状態）にする。
【００３２】
ＰＦユーティリティ１５０は、モバイルモードであるバッテリ駆動時、若しくはドッキングステーション２００のアンドック時に、プライバシーフィルタ１７を自動的に駆動するか否かを設定するための機能を有する。ＰＦユーティリティ１５０は、図７に示すウィンドウをＬＣＤ１６に表示する。チェックボックス１７１にチェックマークを付けることによって、バッテリ駆動時にプライバシーフィルタ１７を自動的に駆動することができる。バッテリ駆動時にプライバシーフィルタ１７を自動的に駆動するか否かの設定は、メインメモリ１１４上のＢＡＴＴ/ＰＦ駆動設定１６４に登録されと共に、ＢＩＯＳ−ＲＯＭ１２０に保存される。ＢＡＴＴ/ＰＦ駆動設定１６４がイネーブルの場合にバッテリ駆動時にプライバシーフィルタ１７を自動的に駆動し、ＢＡＴＴ/ＰＦ駆動設定１６４がディスイネーブルの場合にバッテリ駆動時にプライバシーフィルタ１７を自動的に駆動しない。
【００３３】
また、チェックボックス１７２にチェックマークを付けることによって、アンドック時にプライバシーフィルタ１７を自動的に駆動することができる。アンドック時にプライバシーフィルタ１７を駆動するか否かの設定はメインメモリ１１４上のＵＮＤＯＣＫ／ＰＦ駆動設定１６５に登録されと共に、ＢＩＯＳ−ＲＯＭ１２０上に保存される。ＵＮＤＯＣＫ／ＰＦ駆動設定１６５がイネーブルの場合にアンドック時にプライバシーフィルタ１７を自動的に駆動し、ＵＮＤＯＣＫ／ＰＦ駆動設定１６５がディスイネーブルの場合にアンドック時にプライバシーフィルタ１７を自動的に駆動しない。
【００３４】
次ぎに、外部電源駆動からバッテリ駆動時にプライバシーフィルタ１７を自動的に駆動可能な処理の手順を図８のフローチャートを参照して説明する。
【００３５】
電源コントローラ１２５は、外部電源を用いてシステム電源を生成している状態から、バッテリを用いてシステム電源を生成するようになると、バッテリ駆動であることをＥＣ／ＫＢＣ１２４に対して割込通知する。ＥＣ／ＫＢＣ１２４は、ＰＦ駆動フラグ１６１を参照し、プライバシーフィルタ１７が駆動しているか否かを判定する（ステップＳ１１）。ＰＦ駆動フラグ１６１がイネーブルであって、プライバシーフィルタ１７が駆動している場合（ステップＳ１１のＹｅｓ）、プライバシーフィルタ１７を駆動状態にしたままにするために、処理を終了する。
【００３６】
ＰＦ駆動フラグ１６１がディスイネーブルであって、プライバシーフィルタ１７が駆動していない場合（ステップＳ１１のＮｏ）、ＥＣ／ＫＢＣ１２４は、ＢＡＴＴ/ＰＦ駆動設定１６４を参照し、バッテリ駆動（モバイルモード）時にプライバシーフィルタ１７を自動的に駆動する設定がイネーブルになっているか否かを判定する（ステップＳ１２）。ＢＡＴＴ/ＰＦ駆動設定１６４がディスイネーブルの場合（ステップＳ１２のＮｏ）、プライバシーフィルタを駆動せずに処理を終了する。
【００３７】
ＢＡＴＴ/ＰＦ駆動設定１６４がイネーブルの場合（ステップＳ１２のＹｅｓ）、ＥＣ／ＫＢＣ１２４はプライバシーフィルタ１７を駆動し、斜めから見た場合に妨害パターンが表示されるようにする（ステップＳ１３）。
【００３８】
以上の処理で、外部電源駆動からバッテリ駆動に切り替わったときに、プライバシーフィルタ１７を自動的に駆動することが可能になり、ＬＣＤ１６に表示される内容を覗き見されることを防止することができる。
【００３９】
また、本コンピュータ１０は、ドッキングステーション２００をアンドックした場合に、自動的にプライバシーフィルタを駆動することが可能である。以下に、ドッキングステーション２００をアンドックした場合に、自動的にプライバシーフィルタを駆動する処理の手順を図９のフローチャートを参照して説明する。
【００４０】
ＩＯコントローラ１２７は、ドッキングステーション２００に装着されている状態からドッキングステーション２００から外されている状態を検出すると、ＩＯコントローラ１２７はＥＣ／ＫＢＣ１２４にドッキングステーション２００がアンドックになったことを割込通知する。ＥＣ／ＫＢＣ１２４は、ＰＦ駆動フラグ１６１を参照し、駆動状態になっているか否かを判定する（ステップＳ２１）。ＰＦ駆動フラグ１６１がイネーブルであって、プライバシーフィルタ１７が駆動している場合（ステップＳ２１のＹｅｓ）、プライバシーフィルタ１７を駆動状態にしたままにするために、処理を終了する。
【００４１】
ＰＦ駆動フラグ１６１がディスイネーブルであって、プライバシーフィルタが駆動していない場合（ステップＳ２１のＮｏ）、ＥＣ／ＫＢＣ１２４は、ＵＮＤＯＣＫ／ＰＦ駆動設定１６５を参照し、アンドック時にプライバシーフィルタを自動的に駆動する設定がイネーブルになっているか否かを判定する（ステップＳ２２）。アンドック時プライバシーフィルタ自動駆動設定がディスイネーブルの場合（ステップＳ２２のＮｏ）、プライバシーフィルタを駆動しないで、処理を終了する。
【００４２】
アンドック時ＰＦ自動駆動設定がイネーブルの場合、ＥＣ／ＫＢＣ１２４は、プライバシーフィルタを駆動する（ステップＳ２３）。
【００４３】
以上の処理で、本コンピュータ１０をドッキングステーション２００から取り外した時に、プライバシーフィルタ１７を自動的に駆動することが可能になり、ＬＣＤ１６に表示される内容を覗き見されることを防止することができる。
【００４４】
次ぎに、ＰＦユーティリティ１５０が所定のタイミングでバッテリ駆動状態であるかを判定し、バッテリ駆動の場合に自動的にプライバシーフィルタ１７を駆動することが可能な処理の手順を図１０のフローチャートを参照して以下に説明する。
【００４５】
電源コントローラ１２５は、システム電源の生成元が変わったときに、システム電源の生成元をＥＣ／ＫＢＣ１２４に対して割込通知する。ＥＣ／ＫＢＣ１２４は、システム電源の生成元が変わると、システム電源の生成元をシステムＢＩＯＳに通知する。更に、システムＢＩＯＳは、システム電源の生成元情報をＢＩＯＳ−ＲＯＭ内のＢＡＴＴ駆動フラグ１６２に書き込むと共に、システム電源の生成元をオペレーティングシステムに通知する。ＢＡＴＴ駆動フラグ１６２がイネーブルの場合はバッテリを用いてシステム電源を生成し、ＢＡＴＴ駆動フラグ１６２がディスイネーブルの場合は外部電源を用いてシステム電源を生成している。また、オペレーティングシステムは通知されたシステム電源の生成元に応じて電源管理を行う。
【００４６】
ＰＦユーティリティ１５０は、所定のタイミング毎にＢＡＴＴ駆動フラグ１６２を参照することによって、バッテリ駆動であるか否かを判定する（ステップＳ３１）。ＢＡＴＴ駆動フラグ１６２がイネーブルであってバッテリ１２５Ａを用いてシステム電源を生成している場合（ステップＳ３１のＹｅｓ）、ＰＦユーティリティ１５０は、ＰＦ駆動フラグ１６１を参照し、プライバシーフィルタ１７が駆動しているか否かを判定する（ステップＳ３２）。
【００４７】
プライバシーフィルタ１７が駆動している場合（ステップＳ３２のＹｅｓ）、ＰＦユーティリティ１５０はプライバシーフィルタ１７を駆動状態にしたままにするために、処理を終了する。
【００４８】
プライバシーフィルタが駆動していない場合（ステップＳ３２のＮｏ）、ＰＦユーティリティ１５０は、ＢＡＴＴ/ＰＦ駆動設定１６４を参照し、バッテリ駆動時にプライバシーフィルタ１７を自動的に駆動する設定になっているか否かを判定する（ステップＳ３３）。ＢＡＴＴ/ＰＦ駆動設定１６４がディスイネーブルの場合、プライバシーフィルタ１７を駆動せずに処理を終了する（ステップＳ３３のＮｏ）。
【００４９】
ＢＡＴＴ/ＰＦ駆動設定１６４がイネーブルの場合（ステップＳ３３のＹｅｓ）、ＰＦユーティリティ１５０はプライバシーフィルタ１７を駆動するようＥＣ／ＫＢＣ１２４に指令する（ステップＳ３４）。ＥＣ／ＫＢＣ１２４は、プライバシーフィルタ１７を駆動し、斜めから見た場合に妨害パターンが表示されるようにする（ステップＳ３５）。
【００５０】
以上の処理で、外部電源駆動からバッテリ駆動に切り替わったときに、プライバシーフィルタ１７を自動的に駆動することが可能になり、ＬＣＤ１６に表示される内容を覗き見されることを防止することができる。
【００５１】
次ぎに、ＰＦユーティリティ１５０が所定のタイミングでアンドック状態であるか否かを判定し、アンドック状態の場合に自動的にプライバシーフィルタ１７を駆動することが可能な処理の手順を以下に説明する。
【００５２】
ＩＯコントローラ１２７は、ドッキングステーション２００に装着されている状態からドッキングステーション２００から外されている状態を検出すると、ＩＯコントローラ１２７はＥＣ／ＫＢＣ１２４にドッキングステーション２００から外されたことを割込通知する。ＥＣ／ＫＢＣ１２４は、システムＢＩＯＳにドッキングステーション２００から外されたことを通知する。システムＢＩＯＳは、アンドック状態であるか否かの情報をＢＩＯＳ−ＲＯＭ内のＵＮＤＯＣＫフラグ１６３に書き込むと共に、アンドック状態であるか否かの情報をオペレーティングシステムに通知する。ＵＮＤＯＣＫフラグ１６３がイネーブルの場合はアンドック状態であり、ＵＮＤＯＣＫフラグ１６３がディスイネーブルの場合はドッキングステーション２００に搭載されている。
【００５３】
ＰＦユーティリティ１５０は、ＵＮＤＯＣＫフラグ１６３を参照し、アンドック状態であるか否かを判定する（ステップＳ４１）。ＵＮＤＯＣＫフラグ１６３がディスイネーブルであって、アンドック状態では無い場合（ステップＳ４１のＮｏ）、所定の時間後に、ＵＮＤＯＣＫフラグ１６３を参照して、アンドック状態であるか否かを判定する（ステップＳ４１）。
【００５４】
ＵＮＤＯＣＫフラグ１６３がイネーブルであって、アンドック状態の場合（ステップＳ４１のＹｅｓ）、ＰＦユーティリティ１５０は、ＰＦ駆動フラグ１６１を参照し、駆動状態になっているか否かを判定する（ステップＳ４２）。プライバシーフィルタ１７が駆動している場合（ステップＳ４２のＹｅｓ）、プライバシーフィルタ１７を駆動状態にしたままにするために、処理を終了する。
【００５５】
プライバシーフィルタが駆動していない場合（ステップＳ４２のＮｏ）、ＰＦユーティリティ１５０は、ＵＮＤＯＣＫ／ＰＦ駆動設定１６５を参照し、アンドック時にプライバシーフィルタを自動的に駆動する設定がイネーブルになっているか否かを判定する（ステップＳ４３）。アンドック時プライバシーフィルタ自動駆動設定がディスイネーブルの場合（ステップＳ４３のＮｏ）、プライバシーフィルタを駆動しないで、処理を終了する。
【００５６】
アンドック時プライバシーフィルタ自動駆動設定がイネーブルの場合（ステップＳ４３のＹｅｓ）、ＰＦユーティリティ１５０は、プライバシーフィルタを駆動するようにＥＣ／ＫＢＣ１２４に指令する（ステップＳ４４）。ＥＣ／ＫＢＣ１２４は、プライバシーフィルタ１７を駆動し、斜めから見た場合に妨害パターンが表示されるようにする（ステップＳ４５）。
【００５７】
以上の処理で、本コンピュータ１０をドッキングステーション２００から取り外した時に、プライバシーフィルタ１７を自動的に駆動することが可能になり、ＬＣＤ１６に表示される内容を覗き見されることを防止することができる。
【００５８】
上述したように、コンピュータ１０がＡＣアダプタ１２５Ｂやドッキングステーション２００に接続されず、コンピュータ１０を持ち運び可能なモバイルモードの場合に、自動的にプライバシーフィルタ１７を駆動することが出来、ＬＣＤ１７に表示される情報の秘匿性を高めることが可能にある。
【００５９】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６０】
【図１】本発明の第１の実施形態に係わる情報処理装置としてのパーソナルコンピュータの概略構成の一例を示す斜視図。
【図２】第１の実施形態に係わるＬＣＤ及びプライバシーフィルタの配置関係の一例を示す図。
【図３】プライバシーフィルタによる視野角制御の一例を説明する図。
【図４】本発明の第１の実施形態に係わる情報処理装置としてのパーソナルコンピュータ、および拡張ユニットとしてのドッキングステーションの概略構成の一例を示す斜視図。
【図５】第１の実施形態に係わるパーソナルコンピュータの回路構成の一例を示すブロック図。
【図６】バッテリ駆動時、およびアンドック状態時にプライバシーフィルタを自動的に駆動するための構成を示すブロック図。
【図７】バッテリ駆動時、およびアンドック状態時にプライバシーフィルタを自動的に駆動するための設定画面を示す図。
【図８】外部電源駆動からバッテリ駆動に切り替わった場合にプライバシーフィルタを自動的に駆動する処理の手順を示すフローチャート。
【図９】ドッキング状態からアンドック状態に切り替わった場合にプライバシーフィルタを自動的に駆動する処理の手順を示すフローチャート。
【図１０】バッテリ駆動時にプライバシーフィルタを自動的に駆動する処理の手順を示すフローチャート。
【図１１】アンドック状態時にプライバシーフィルタを自動的に駆動する処理の手順を示すフローチャート。
【符号の説明】
【００６１】
１０…コンピュータシステム，１２…コンピュータ本体，１４…ディスプレイユニット，１６…ＬＣＤ，１７…プライバシーフィルタ，１８…ヒンジ，２０…キーボード，２２…タッチパッド，２４…スクロールボタン，２６…タッチパッドコントロールボタン，２８…パワーボタン，３０…プライバシーフィルタボタン，１０２…ＣＰＵ，１０４…ノースブリッジ，１０６…サウスブリッジ，１０８…グラフィクスコントローラ，１１４…メインメモリ，１２０…ＢＩＯＳ−ＲＯＭ，１２４…エンベデッドコントローラ／キーボードコントローラＩＣ，１２５…電源コントローラ，１２５Ｂ…ＡＣアダプタ，１２６…ハードディスクドライブ，１２７…ＩＯコントローラ，１４０…システムＢＩＯＳ，１５０…ＰＦユーティリティ，１６１…プライバシーフィルタ駆動フラグ，１６２…ＢＡＴＴ駆動フラグ１６２，１６３…ＵＮＤＯＣＫフラグ，１６４…ＢＡＴＴ／ＰＦ駆動設定，１６５…ＵＮＤＯＣＫ／ＰＦ駆動設定，１７１…チェックボックス，１７２…チェックボックス，２００…ドッキングステーション
【図１】
2007121969.tif 000003
【図２】
2007121969.tif 000004
【図３】
2007121969.tif 000005
【図４】
2007121969.tif 000006
【図５】
2007121969.tif 000007
【図６】
2007121969.tif 000008
【図７】
2007121969.tif 000009
【図８】
2007121969.tif 000010
【図９】
2007121969.tif 000011
【図１０】
2007121969.tif 000012
【図１１】
2007121969.tif 000013